(57)【要約】【課題】遊技機の通常の使用状態を考慮しつつ、動作確認試験に対する信頼性を確保することが出来る、新規な構造の遊技機を提供することを目的とする。【解決手段】主制御ＣＰＵ８６の試験信号出力ピン９０と主制御用出力端子取付領域９４に取り付けられた主制御用出力端子９２を主制御用プリント配線９６によってサブ制御ＣＰＵ１０６，１２２を介さないで直接に接続すると共に、サブ制御ＣＰＵ１０６，１２２の試験信号出力ピン１１０，１２６とサブ制御用出力端子取付領域１１４，１３０に取り付けられたサブ制御用出力端子１１２，１２８をサブ制御用プリント配線１１６，１３２によって主制御ＣＰＵ８６および他のサブ制御ＣＰＵ１２２，１０６を介さないで直接に接続するようにした。【選択図】　　　図６
2004105465.tif 000002
【特許請求の範囲】
【請求項１】
遊技動作を全体的に制御する主制御ＣＰＵと遊技動作を行う作動部を該主制御ＣＰＵからの制御信号に基づいて制御するサブ制御ＣＰＵが互いに異なる制御基板に実装されており、該主制御ＣＰＵに関する確認信号を主制御用出力端子から外部に取り出すようになっていると共に、該サブ制御ＣＰＵに関する確認信号をサブ制御用出力端子から外部に取り出すようになっている遊技機において、
前記主制御ＣＰＵに該主制御ＣＰＵに関する確認信号を出力する主制御用確認信号出力ピンを設け、該主制御用確認信号出力ピンから出力された該主制御ＣＰＵに関する確認信号を外部に取り出す前記主制御用出力端子を取り付けることが出来る主制御用出力端子取付領域を該主制御ＣＰＵが実装されている制御基板に形成すると共に、前記サブ制御ＣＰＵに該サブ制御ＣＰＵに関する確認信号を出力するサブ制御用確認信号出力ピンを設け、該サブ制御用確認信号出力ピンから出力された該サブ制御ＣＰＵに関する確認信号を外部に取り出す前記サブ制御用出力端子を取り付けることが出来るサブ制御用出力端子取付領域を該サブ制御ＣＰＵが実装されている制御基板に形成し、更に、該主制御ＣＰＵが実装されている制御基板に該主制御用確認信号出力ピンと該主制御用出力端子を他の制御ＣＰＵを介さないで直接に接続する主制御用プリント配線を形成すると共に、該サブ制御ＣＰＵが実装されている制御基板に該サブ制御用確認信号出力ピンと該サブ制御用出力端子を他の制御ＣＰＵを介さないで直接に接続するサブ制御用プリント配線を形成することを特徴とする遊技機。
【請求項２】
前記主制御用出力端子取付領域には、一つの前記主制御用出力端子が取り付けられるようになっていると共に、前記サブ制御用出力端子取付領域には、少なくとも一つの前記サブ制御用出力端子が取り付けられるようになっている請求項１に記載の遊技機。
【発明の詳細な説明】
【０００１】
【技術分野】
本発明は、外部に確認信号を出力可能な遊技機に関するものである。
【０００２】
【背景技術】
近年、パチンコ機等の遊技機は、遊技者を楽しませるために凝った演出をするようになってきており、それに伴って、遊技機の動作内容が複雑になってきている。そこで、近年の遊技機においては、遊技機における遊技動作を全体的に制御する主制御ＣＰＵは、サブ制御ＣＰＵに対して制御信号を送信するのみで、サブ制御部が主制御ＣＰＵから送信された制御信号に基づいて作動部を制御するようになっている。
【０００３】
ところで、パチンコ機等の遊技機は、例えば、メーカーから出荷する前等において、所期の遊技動作を行うか否かを確認する動作確認試験を行う場合がある。
そこにおいて、動作確認試験を行う場合には、遊技機の制御特性に合わせて実際の作動状態に近い状態で行うことが要求される。そこで、遊技動作を全体的に制御する主制御ＣＰＵに関する確認信号を主制御ＣＰＵが実装された制御基板に取り付けられた複数の確認信号端子から取り出すと共に、図柄制御ＣＰＵとは別に設けられた確認信号生成用ＣＰＵが生成した確認信号を図柄制御ＣＰＵに関する確認信号として図柄制御ＣＰＵが実装された制御基板に取り付けられた複数の確認信号端子から取り出す遊技機が提案されている（例えば、特許文献１参照。）。
【０００４】
【特許文献１】
特開２０００−３００８１２号公報　（第６−７頁、第５図）
【０００５】
しかしながら、このような遊技機においては、図柄制御ＣＰＵに関する確認信号が図柄制御ＣＰＵから出力されていないことから、確認信号に対する信頼性、延いては、動作確認試験に対する信頼性を確保することが難しいという問題があった。
【０００６】
加えて、遊技機は、動作確認試験を行うために製造されているのではなく、実際に遊技を行うために製造されていることから、通常の使用状態を考慮した構造を採用することが要求される。従って、上述の如き遊技機においては、例えば、確認信号生成用ＣＰＵを実装したことにより、図柄制御ＣＰＵが実装された制御基板に配設された他の電子部品が密集してしまい、それによって、遊技機の通常の使用状態でノイズが発生してしまうおそれがあった。
【０００７】
【解決課題】
ここにおいて、本発明は、上述の如き事情を背景として為されたものであって、その解決課題とするところは、遊技機の通常の使用状態を考慮しつつ、動作確認試験に対する信頼性を確保することが出来る、新規な構造の遊技機を提供することにある。
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することが出来る発明思想に基づいて認識されるものであることが理解されるべきである。
【０００９】
すなわち、本発明の第一の態様は、遊技動作を全体的に制御する主制御ＣＰＵと遊技動作を行う作動部を該主制御ＣＰＵからの制御信号に基づいて制御するサブ制御ＣＰＵが互いに異なる制御基板に実装されており、該主制御ＣＰＵに関する確認信号を主制御用出力端子から外部に取り出すようになっていると共に、該サブ制御ＣＰＵに関する確認信号をサブ制御用出力端子から外部に取り出すようになっている遊技機において、前記主制御ＣＰＵに該主制御ＣＰＵに関する確認信号を出力する主制御用確認信号出力ピンを設け、該主制御用確認信号出力ピンから出力された該主制御ＣＰＵに関する確認信号を外部に取り出す前記主制御用出力端子を取り付けることが出来る主制御用出力端子取付領域を該主制御ＣＰＵが実装されている制御基板に形成すると共に、前記サブ制御ＣＰＵに該サブ制御ＣＰＵに関する確認信号を出力するサブ制御用確認信号出力ピンを設け、該サブ制御用確認信号出力ピンから出力された該サブ制御ＣＰＵに関する確認信号を外部に取り出す前記サブ制御用出力端子を取り付けることが出来るサブ制御用出力端子取付領域を該サブ制御ＣＰＵが実装されている制御基板に形成し、更に、該主制御ＣＰＵが実装されている制御基板に該主制御用確認信号出力ピンと該主制御用出力端子を他の制御ＣＰＵを介さないで直接に接続する主制御用プリント配線を形成すると共に、該サブ制御ＣＰＵが実装されている制御基板に該サブ制御用確認信号出力ピンと該サブ制御用出力端子を他の制御ＣＰＵを介さないで直接に接続するサブ制御用プリント配線を形成することを、特徴とする。
【００１０】
このような本態様に従う構造とされた遊技機においては、主制御ＣＰＵの主制御用確認信号出力ピンと主制御用出力端子取付領域に取り付けられた主制御用出力端子が主制御用プリント配線によって他の制御ＣＰＵを介さないで直接に接続されていると共に、サブ制御ＣＰＵのサブ制御用確認信号出力ピンとサブ制御用出力端子取付領域に取り付けられたサブ制御用出力端子がサブ制御用プリント配線によって他の制御ＣＰＵを介さないで直接に接続されていることから、主制御ＣＰＵは、主制御ＣＰＵに関する確認信号を外部に直接出力することが出来るのであり、また、サブ制御ＣＰＵもサブ制御ＣＰＵに関する確認信号を外部に直接出力することが出来るのである。
【００１１】
従って、本態様に係る遊技機においては、主制御ＣＰＵおよびサブ制御ＣＰＵの各制御ＣＰＵに対して各制御ＣＰＵが制御する制御内容についての確認信号以外の確認信号を出力させないようにすることが可能となる。それによって、各制御ＣＰＵに対して他の制御ＣＰＵから出力される確認信号の仲介等を行わないようにすることが可能となり、その結果、何れの制御ＣＰＵが誤動作したかを確認することが容易に可能となって、各制御ＣＰＵの動作確認試験を適切に行うことが出来るのである。
【００１２】
加えて、本態様においては、主制御用出力端子およびサブ制御用出力端子の各出力端子を各制御ＣＰＵが実装されている制御基板上に取り付けることが出来るようになっていることから、各制御基板上に配置される各種の回路素子に対するノイズ対策を有利に行うことが出来るのである。
【００１３】
すなわち、遊技機の裏側には、賞球タンク等の各種の部品が配設されていることから、主制御ＣＰＵが実装されている制御基板およびサブ制御ＣＰＵが実装されている制御基板の配設スペースが制限されており、それによって、例えば、主制御用出力端子およびサブ制御用出力端子を一つの制御基板に取り付けることが出来るようにすると共に、主制御用出力端子およびサブ制御用出力端子を取り付けることが出来る制御基板のサイズを大きくすることによって、かかる制御基板に配置される各種の回路素子に対するノイズ対策を行ったり、或いは、主制御用出力端子およびサブ制御用出力端子を取り付けることが出来る中継基板を別途配設することによって、主制御ＣＰＵが実装されている制御基板およびサブ制御ＣＰＵが実装されている制御基板の各制御基板に配置される各種の回路素子に対するノイズ対策を行うことが難しいのである。
【００１４】
従って、本態様に係る遊技機においては、各制御基板における出力端子取付領域の占める割合を小さくすることによって、各制御基板上に配置される各種の回路素子の配置に対する設計自由度を向上することが可能となり、それによって、各制御基板上に配置される各種の回路素子に対するノイズ対策を有利に行うことが可能となり、遊技機の通常の使用状態における遊技動作の安定化を図ることが出来るのである。
【００１５】
また、本態様においては、主制御ＣＰＵに関する確認信号が主制御用確認信号出力ピンから出力されるようになっていると共に、サブ制御ＣＰＵに関する確認信号がサブ制御用確認信号出力ピンから出力されるようになっていることから、主制御ＣＰＵから出力される確認信号と主制御ＣＰＵによる制御との関連性およびサブ制御ＣＰＵから出力される確認信号とサブ制御ＣＰＵによる制御との関連性を高度に確保することが出来るのであり、それによって、主制御ＣＰＵおよびサブ制御ＣＰＵから出力される確認信号に対する信頼性を確保することが出来るのである。
【００１６】
さらに、本態様においては、主制御ＣＰＵに関する確認信号が主制御ＣＰＵの主制御用確認信号出力ピンと主制御用出力端子とを他の制御ＣＰＵを介さないで直接に接続する主制御用プリント配線を通じて取得されるようになっていると共に、サブ制御ＣＰＵに関する確認信号がサブ制御ＣＰＵのサブ制御用確認信号出力ピンとサブ制御用出力端子とを他の制御ＣＰＵを介さないで直接に接続するサブ制御用プリント配線を通じて取得されるようになっていることから、主制御用出力端子およびサブ制御用出力端子から取得された信号が確認信号であるのか、それとも、他の制御信号であるのかの判断を不要とすることが可能となり、それによって、例えば、確認信号を受信する試験装置に対して予め確認信号と他の制御信号を区別させるための作業を不要とすることが可能となる。
【００１７】
なお、本態様における作動部とは、例えば、普通図柄表示装置や特別図柄表示装置，賞球払出装置等のように遊技者が遊技を行うために必要な動作をする装置のことをいうものとする。また、サブ制御ＣＰＵとは、普通図柄表示装置や特別図柄表示装置を作動せしめる図柄制御用ＣＰＵや賞球払出装置を作動せしめるための賞球払出用ＣＰＵ等のように、遊技者が遊技を行うために必要な作動部を作動制御する制御ＣＰＵをいうものとする。更に、主制御ＣＰＵに関する確認信号としては、例えば、大入賞口の入口を塞ぐ扉を開閉駆動する大入賞口ソレノイド駆動するために出力したソレノイド信号等のように主制御部から出力された信号や、大入賞口の入口が開放されていることを知らせる信号や特別図柄表示装置において特別図柄が大当たり図柄で停止したことを知らせる信号等のように、主制御ＣＰＵが出力した信号に基づく結果を知らせる信号、更には、特別図柄表示装置において特別図柄の変動を開始するための始動口センサからの信号等のように、主制御ＣＰＵに入力される信号等をいうものとする。更にまた、サブ制御ＣＰＵに関する制御信号は、例えば、特別図柄表示装置において特別図柄が変動中であることを知らせる信号や特別図柄表示装置において特別図柄の変動が停止したことを知らせる信号等のように、サブ制御ＣＰＵが作動せしめる作動部の作動状態を知らせる信号等をいうものとする。また、本態様における主制御用出力端子およびサブ制御用出力端子は、何れも、複数のピンを備えたコネクタが好適に採用される。
【００１８】
また、本発明の第二の態様は、前記第一の態様に係る遊技機において、前記主制御用出力端子取付領域には、一つの前記主制御用出力端子が取り付けられるようになっていると共に、前記サブ制御用出力端子取付領域には、少なくとも一つの前記サブ制御用出力端子が取り付けられるようになっていることを、特徴とする。このような本態様に従う構造とされた遊技機においては、主制御ＣＰＵが実装されている制御基板における主制御用出力端子を取り付けることが出来る主制御用出力端子取付領域の割合を少なくすることが可能となり、それによって、主制御ＣＰＵが実装されている制御基板に実装される各種の回路素子の配設自由度を向上することが可能となり、各種の回路素子が接近しすぎることに起因するノイズの悪影響を有利に回避することが出来るのである。
【００１９】
【発明の実施形態】
以下、本発明を更に具体的に明らかにするために、本発明の実施形態について、図面を参照しつつ、詳細に説明する。
【００２０】
先ず、図１には、本発明の一実施形態の遊技機としてのパチンコ機１０が示されている。このパチンコ機１０は、遊技盤１２上に配設された特別図柄始動口１４に遊技球が入賞すると、賞球が上皿１６に排出されると共に、特別図柄表示装置１８において、特別図柄の変動が開始されるようになっている。
【００２１】
より詳細には、パチンコ機１０は中枠２０を備えており、かかる中枠２０が幅方向一方の端部を中心に回動可能な状態で外枠２２に装着されている。また、中枠２０の前面には、横長な長方形状の皿板２４が幅方向一方の端部を中心に回動可能に装着されており、かかる皿板２４の前面には、遊技球を貯留するための上皿１６が固定されている。
【００２２】
また、中枠２０の前面には、上皿１６の下方において、下皿２６が固定されている。この下皿２６は、パチンコ機１０の裏側において、上皿１６に連通せしめられており、上皿１６内から溢れた遊技球が上皿１６内から下皿２６内に排出されるようになっている。また、下皿２６の右側には、発射ハンドル２７が回動可能に装着されており、かかる発射ハンドル２７の裏側には、図示しない発射モータが装着されている。この発射モータの回転軸には、図示しないクランク機構を介して図示しない打球槌が連結されており、発射ハンドル２７が周方向一方の側に回動操作せしめられることによって発射モータに電源が与えられ、打球槌が上皿１６内に貯留された遊技球を弾き出すようになっている。
【００２３】
さらに、中枠２０の前面には、窓枠２８が幅方向一方の端部を中心に回動可能に装着されている。また、中枠２０の後ろ側には、遊技盤１２を保持するための額縁状の機構盤が固定されており、かかる機構盤によって遊技盤１２が保持された状態下において、遊技盤１２は、窓枠２８によって保持されたガラス窓で覆われている。更に、窓枠２８の幅方向他方の端部には、枠鍵３０が装着されており、かかる枠鍵３０によって中枠２０を外枠２２に対して密着した閉状態に保持するようになっていると共に、皿板２４と窓枠２８を中枠２０に密着した閉状態に保持するようになっている。
【００２４】
また、遊技盤１２の前面には、外レール３２および内レール３４が設けられており、打球槌によって弾かれた遊技球は、外レール３２および内レール３４の間を通って遊技盤１２の上部に放出されるようになっている。そして、遊技盤１２の上部に放出された遊技球は、遊技盤１２の前面に打ち込まれた図示しない複数の遊技釘に当たりながら落下するようになっている。
【００２５】
さらに、遊技盤１２の前面には、額縁状の台板３６が固定されており、かかる台板３６には、特別図柄表示装置１８および普通図柄表示装置３８が固定されている。特別図柄表示装置１８は、カラー液晶表示器からなるものであり、特別図柄表示装置１８には、「０」〜「１２」の数字図柄が横３列に表示されるようになっている。また、普通図柄表示装置３８は、カラー液晶表示器によって構成されており、普通図柄表示装置３８には、「３」および「７」の数字図柄が横２列に表示されるようになっている。
【００２６】
また、遊技盤１２の前面には、特別図柄表示装置１８の下方に位置して特別図柄始動口１４が設けられている。この特別図柄始動口１４は、上側が開口するポケット状をなすものであり、特別図柄始動口１４内には、感知手段としての特別図柄始動センサ４０（図６参照）が設けられている。この特別図柄始動センサ４０は、近接スイッチによって構成されており、特別図柄始動口１４内に遊技球が入賞したことを検出して特別図柄始動信号を出力するようになっている。また、特別図柄始動口１４の開口部には、一対の羽根４２，４２が配設されており、特別図柄始動口１４を遊技盤１２に取り付ける台板の裏側に配設されたソレノイド４４（図６参照）への通電によりクランクがバネの付勢力に抗してソレノイド４４側に引き付けられて一対の羽根４２，４２が開き、特別図柄始動口１４の入口の大きさが拡大するようになっている一方、ソレノイド４２，４２への通電の停止によりクランクがバネの付勢力で元の位置に戻り、一対の羽根４２，４２が閉じて特別図柄始動口１４の入口の大きさが通常の大きさとなる。
【００２７】
さらに、遊技盤１２の前面には、特別図柄始動口１４の左右両側において、それぞれ、始動ゲート４６，４６が配設されている。この始動ゲート４６は、近接スイッチによって構成された通過スイッチ４８（図６参照）を備えており、かかる通過スイッチ４８は、始動ゲート４６を遊技球が通過したことを検出すると、通過信号を出力するようになっている。
【００２８】
また、遊技盤１２の前面には、特別図柄始動口１４の下方に位置して横長の入賞口用台板５０が固定されており、かかる入賞口用台板５０の長手方向中央部分には、大入賞口５２が形成されている。更に、大入賞口５２内には、大入賞口センサ５４（図６参照）が設けられており、大入賞口５２内に遊技球が入球したことを検出して大入賞口入賞信号を出力するようになっている。また、大入賞口５２の前面には、扉５６が軸を中心に回動可能に装着されている。この扉５６は、入賞口用台板５０の裏側に固定された大入賞口ソレノイド５８（図６参照）のプランジャにクランク機構を介して連結されている。そして、扉５６は、大入賞口ソレノイド５８への断電時には、大入賞口５２の入口を塞ぐようになっている一方、大入賞口ソレノイド５８への通電時には、大入賞口の入口を開放するようになっている。また、入賞口用台板５０の左右両端部には、それぞれ、入賞口６０（図６参照）が設けられている。この入賞口６０は、上側が開口するポケット状を呈しており、かかる入賞口６０内には、感知手段としての入賞スイッチ６２（図６参照）が配設されている。この入賞スイッチ６２は、近接スイッチにより構成されており、入賞口６０内に遊技球が入賞したことを検出して入賞信号を出力するようになっている。
【００２９】
また、パチンコ機１０の裏側には、図２に示されているように、上端部に位置して賞球タンク６４が設けられており、かかる賞球タンク６４内には、遊技球が貯留されている。更に、パチンコ機１０の裏側には、タンクレール６６および賞球払出装置６８が設けられている。この賞球払出装置６８はタンクレール６６を介して賞球タンク６４に接続されており、賞球払出装置６８内には、賞球タンク６４内からタンクレール６６を通じて遊技球が供給されるようになっている。また、賞球払出装置６８内には、パルスモータからなる賞球モータ７０（図６参照）を駆動源とする賞球払出機構が収容されており、賞球モータ７０の回転軸が単位量回転する毎に賞球払出装置６８内から下方へ一個ずつ遊技球が払い出されるようになっている。また、賞球払出装置６８内には、払い出された遊技球を検出する賞球スイッチ７２（図６参照）が設けられており、賞球スイッチ７２が遊技球を検出すると、払出信号を出力するようになっている。更に、パチンコ機１０の裏側には、賞球払出装置６８と上皿１６を繋ぐ図示しない球通路が設けられており、賞球払出装置６８から放出された遊技球が球通路を介して上皿１６内に供給されるようになっている。
【００３０】
また、パチンコ機１０の裏側には、パチンコ機１０の遊技動作の全体を制御する主制御ＣＰＵ８６が実装された主基板８２が配設されていると共に、作動部としての普通図柄表示装置３８において普通図柄を変動せしめたり、或いは、特別図柄表示装置１８において特別図柄を変動せしめるサブ制御ＣＰＵとしての図柄制御ＣＰＵ１０６が実装された図柄制御基板１０２および作動部としての賞球払出装置６８を構成する賞球モータ７０を駆動せしめて賞球を払い出すサブ制御ＣＰＵとしての払出制御ＣＰＵ１２２が実装された払出制御基板１１８が配設されている。なお、パチンコ機１０の裏側には、図示しないスピーカを鳴動制御する音制御ＣＰＵが実装された音制御基板やパチンコ機に設けられた各種のＬＥＤを点灯制御するランプ制御ＣＰＵが実装されたランプ制御基板も配設されているが、ここでは、図示および説明は省略する。
【００３１】
この主基板８２には、図３に示されているように、中継端子８４、パチンコ機１０の遊技動作の全体を制御する主制御ＣＰＵ８６および出力端子８８ａ，ｂ等が実装されており、中継端子８４および出力端子８８ａ，ｂは、それぞれ、主基板８２上に形成された図示しないプリント配線を介して主制御ＣＰＵ８６に電気的に接続されている。また、中継端子８４は複数のピンを備えたコネクタ等で構成されており、図示しない遊技盤中継端子板の端子に接続されており、それによって、中継端子８４は、特別図柄始動センサ４０，通過スイッチ４８，入賞スイッチ６２，大入賞口センサ５４，大入賞口ソレノイド５８，ソレノイド４４等と電気的に接続されるようになっている。更に、主制御ＣＰＵ８６は、制御プログラムや制御処理に必要なデータを格納するＲＯＭおよび各種処理データ等を格納するＲＡＭを内蔵しており、特別図柄始動センサ４０からの特別図柄始動信号を検出すると、特別図柄始動信号の検出時における大当たりカウンタのカウンタ値，図柄カウンタのカウンタ値および変動パターンカウンタのカウンタ値を取得するようになっている。これら大当たりカウンタ，図柄カウンタおよび変動パターンカウンタは、それぞれ、「０」から互いに異なる上限値まで加算された後、再び「０」に戻って加算されるものであり、主制御ＣＰＵは、大当たりカウンタ値，図柄カウンタ値および変動パターンカウンタ値を取得すると、大当たりカウンタ値に基づいて大当たり、ハズレリーチ、ハズレを判定する大当たり判定動作を行うと共に、図柄カウンタ値に基づいて大当たり図柄、ハズレリーチ図柄、ハズレ図柄を設定する図柄設定動作を行い、更に、変動パターンカウンタ値に基づいて変動パターンを設定する変動パターン設定動作を行う。そして、主制御ＣＰＵ８６は、大当たり判定動作，図柄設定動作および変動パターン設定動作を終えると、かかる大当たり判定動作，図柄判定動作および変動パターン設定動作に基づく特別図柄変動指令を、出力端子８８ａから図柄制御ＣＰＵ１０６に出力するようになっている。更に、主制御ＣＰＵ８６は、特別図柄の変動を停止する特別図柄変動停止指令を出力端子８８ａから図柄制御ＣＰＵ１０６に出力する。
【００３２】
また、主制御ＣＰＵ８６は、通過スイッチ４８からの通過信号を検出すると、通過信号の検出時における当たりカウンタのカウンタ値および図柄カウンタのカウンタ値を取得するようになっている。これら当たりカウンタおよび図柄カウンタは、それぞれ、「０」から互いに異なる上限値まで加算された後、再び「０」に戻って加算されるものであり、主制御ＣＰＵ８６は、当たりカウンタ値および図柄カウンタ値を取得すると、当たりカウンタ値に基づいて当たり又はハズレを判定する当たり判定動作を行うと共に、図柄カウンタ値に基づいて当たり図柄又はハズレ図柄を設定する図柄設定動作を行う。そして、主制御ＣＰＵ８６は、当たり判定動作および図柄設定動作を終えると、かかる当たり判定動作および図柄設定動作に基づく普通図柄変動指令を、出力端子８８ａから図柄制御ＣＰＵ１０６に出力するようになっている。また、主制御ＣＰＵ８６は、普通図柄の変動を停止する普通図柄変動停止指令を出力端子８８ａから図柄制御ＣＰＵ１０６に出力する。
【００３３】
さらに、主制御ＣＰＵ８６は、大当たり判定動作の判定結果が大当たりの場合には、大入賞口ソレノイド５８を駆動するために大入賞口ソレノイド駆動信号を中継端子８４から出力するようになっている一方、当たり判定動作の判定結果が当たりの場合には、ソレノイド４４を駆動するためにソレノイド駆動信号を中継端子８４から出力するようになっている。
【００３４】
更にまた、主制御ＣＰＵ８６は、特別図柄始動センサ４０，入賞スイッチ６２および大入賞口センサ５４からの信号を検出すると、払出制御指令を出力端子８８ｂから払出制御ＣＰＵ１２２に出力するようになっている。
【００３５】
また、主制御ＣＰＵ８６は、主制御ＣＰＵ８６に関する確認信号を出力するようになっている。そこにおいて、本実施形態では、主制御ＣＰＵ８６に関する確認信号は、主制御ＣＰＵ８６に設けられた主制御ＣＰＵ８６に関する確認信号を出力するための主制御用確認信号出力ピンとしての確認信号出力ピン９０から出力されるようになっている。また、主基板８２には、複数のピンを備えたコネクタ等で構成された主制御用出力端子としての確認用出力端子９２（図６参照）を取り付けることが出来る主制御用出力端子取付領域としての確認用出力端子取付領域９４が設けられている。この確認用出力端子取付領域９４には、図面上では明示されていないが、確認用出力端子９２が備えている複数のピンを差し込む差込孔や確認用出力端子９２の取付位置を位置決めする位置決め孔等が形成されている。ここにおいて、本実施形態では、かかる確認用出力端子取付領域９４には、一つの確認用出力端子９２を取り付けることが出来るようになっている。また、確認用出力端子取付領域９４に取り付けることが出来る確認用出力端子９２の入力側と主制御ＣＰＵ８６における確認信号出力ピン９０は、主基板８２に形成された主制御用プリント配線としての確認信号用プリント配線９６によって電気的に接続されており、それによって、主制御ＣＰＵ８６の確認信号出力ピン９０から出力された主制御ＣＰＵ８６に関する確認信号が確認信号用プリント配線９６を介して確認用出力端子９２から外部に取り出せるようになっている。ここにおいて、本実施形態では、確認信号用プリント配線９６は、主制御ＣＰＵ８６の確認信号出力ピン９０と確認信号出力端子９２の入力側を他の制御ＣＰＵを介さないで電気的に接続しているプリント配線である。また、図面上では明示されていないが、確認信号用プリント配線９６上には、確認信号出力ピン９０から出力された確認信号を確認用出力端子９２における所定のピンから外部に取り出せるようにするために、確認信号分岐手段が設けられている。この確認信号分岐手段は、例えば、複数の出力ポートを有していると共に、主制御ＣＰＵ８６から出力された確認信号を指定された出力ポートから出力する信号分岐装置等で有利に構成することが出来る。また、確認用出力端子９２には、入力端子８４と確認用出力端子９２の入力側とを電気的に接続する入力信号用プリント配線９８を介して、特別図柄始動センサ４０および大入賞口センサ５４，入賞スイッチ６２が電気的に接続されており、特別図柄始動信号および大入賞口入賞信号，入賞信号が確認用出力端子９２から外部に取り出せるようになっている。
【００３６】
また、図柄制御基板１０２には、図４に示されているように、入力端子１０４，図柄制御ＣＰＵ１０６および出力端子１０８等が実装されており、入力端子１０４および出力端子１０８は、それぞれ、図柄制御基板１０２上に形成された図示しないプリント配線を介して図柄制御ＣＰＵ１０６に電気的に接続されている。また、入力端子１０４はコネクタ等で構成されており、ハーネス等で主基板８２の出力端子８８ａに電気的に接続されている。更に、出力端子１０８は、コネクタ等で構成されており、ハーネス等で特別図柄表示装置１８および普通図柄表示装置３８に接続されている。そして、図柄制御ＣＰＵ１０６は、主制御ＣＰＵ８６からの特別図柄変動指令を検出すると、特別図柄表示装置１８において、特別図柄の変動を開始するようになっていると共に、主制御ＣＰＵ８６からの特別図柄変動停止指令を検出すると、特別図柄判定動作に基づく図柄で特別図柄表示装置１８における特別図柄の変動を停止して、大当たり判定動作の判定結果を遊技者に報知するようになっている。また、図柄制御ＣＰＵ１０６は、主制御ＣＰＵ８６からの普通図柄変動指令を検出すると、普通図柄表示装置３８において、普通図柄の変動を開始するようになっていると共に、主制御ＣＰＵ８６からの普通図柄変動停止指令を検出すると、普通図柄判定動作に基づく図柄で普通図柄表示装置３８における普通図柄の変動を停止して、当たり判定動作の判定結果を遊技者に報知するようになっている。
【００３７】
また、図柄制御ＣＰＵ１０６は、図柄制御ＣＰＵ１０６に関する確認信号を出力するようになっている。そこにおいて、本実施形態では、図柄制御ＣＰＵ１０６に関する確認信号は、図柄制御ＣＰＵ１０６に設けられた図柄制御ＣＰＵ１０６に関する確認信号を出力するためのサブ制御用確認信号出力ピンとしての確認信号出力ピン１１０から出力されるようになっている。また、図柄制御基板１０２には、複数のピンを備えたコネクタ等で構成されたサブ制御用出力端子としての確認用出力端子１１２を取り付けることが出来るサブ制御用出力端子取付領域としての確認用出力端子取付領域１１４が設けられている。この確認用出力端子取付領域１１４には、図面上では明示されていないが、確認用出力端子１１２が備えている複数のピンを差し込む差込孔や確認用出力端子１１２の取付位置を位置決めする位置決め孔等が形成されている。ここにおいて、本実施形態では、確認用出力端子取付領域１１４には、一つの確認用出力端子１１２を取り付けることが出来るようになっている。また、確認用出力端子取付領域１１４に取り付けることが出来る確認用出力端子１１２の入力側と図柄制御ＣＰＵ１０６における確認信号出力ピン１１０は、図柄制御基板１０２に形成されたサブ制御用プリント配線としての確認信号用プリント配線１１６によって電気的に接続されており、それによって、図柄制御ＣＰＵ１０６の確認信号出力ピン１１０から出力された図柄制御ＣＰＵ１０６に関する確認信号が確認信号用プリント配線１１６を介して確認用出力端子１１２から外部に取り出せるようになっている。ここにおいて、本実施形態では、確認信号用プリント配線１１６は、図柄制御ＣＰＵ１０６の確認信号出力ピン１１０と確認信号出力端子１１２の入力側を他のＣＰＵを介さないで電気的に接続しているプリント配線である。また、図面上では明示されていないが、確認信号用プリント配線１１６上には、確認信号出力ピン１１０から出力された確認信号を確認用出力端子１１２における所定のピンから外部に取り出せるようにするために、確認信号分岐手段が設けられている。この確認信号分岐手段は、例えば、複数の出力ポートを有していると共に、図柄制御ＣＰＵ１０６から出力された確認信号を指定された出力ポートから出力する信号分岐装置等で有利に構成することが出来る。
【００３８】
また、払出制御基板１１８には、図５に示されているように、入力端子１２０，払出制御ＣＰＵ１２２および出力端子１２４等が実装されており、入力端子１２０および出力端子１２４は、それぞれ、払出制御基板１１８上に形成された図示しないプリント配線を介して払出制御ＣＰＵ１２２に電気的に接続されている。また、入力端子１２０ａはコネクタ等で構成されており、ハーネス等で主基板８２の出力端子８８ｂに電気的に接続されている。更に、入力端子１２０ｂは、コネクタなどで構成されており、ハーネス等で賞球払出装置６８に設けられた賞球スイッチ７２に電気的に接続されている。更にまた、出力端子１２４は、コネクタ等で構成されており、ハーネス等で賞球モータ７０に接続されている。そして、払出制御ＣＰＵ１２２は、主制御ＣＰＵ８６からの払出制御指令を検出すると、払出制御指令に基づいて賞球モータ７０を駆動するようになっていると共に、賞球スイッチ７２からの信号により所定数の賞球が払い出されたことを検出すると、賞球モータ７０を停止するようになっている。
【００３９】
また、払出制御ＣＰＵ１２２は、払出制御ＣＰＵ１２２に関する確認信号を出力するようになっている。そこにおいて、本実施形態では、払出制御ＣＰＵ１２２に関する確認信号は、払出制御ＣＰＵ１２２に設けられた払出制御ＣＰＵ１２２に関する確認信号を出力するためのサブ制御用確認信号出力ピンとしての確認信号出力ピン１２６から出力されるようになっている。また、払出制御基板１１８には、複数のピンを備えたコネクタ等で構成されたサブ制御用出力端子としての確認用出力端子１２８を取り付けることが出来るサブ制御用出力端子取付領域としての確認用出力端子取付領域１３０が設けられている。この確認用出力端子取付領域１３０には、図面上では明示されていないが、確認用出力端子１２８が備えている複数のピンを差し込む差込孔や確認用出力端子１２８の取付位置を位置決めする位置決め孔等が形成されている。ここにおいて、本実施形態では、確認用出力端子取付領域１３０には、一つの確認用出力端子１２８を取り付けることが出来るようになっている。また、確認用出力端子取付領域１３０に取り付けることが出来る確認用出力端子１２８の入力側と払出制御ＣＰＵ１２２における確認信号出力ピン１２６は、払出制御基板１１８に形成されたサブ制御用プリント配線としての確認信号用プリント配線１３２によって電気的に接続されており、それによって、払出制御ＣＰＵ１２２の確認信号出力ピン１２６から出力された払出制御ＣＰＵ１２２に関する確認信号が確認信号用プリント配線１３２を介して確認用出力端子１２８から外部に取り出せるようになっている。ここにおいて、本実施形態では、確認信号用プリント配線１３２は、払出制御ＣＰＵ１２２の確認信号出力ピン１２６と確認信号出力端子１２８の入力側を他の制御ＣＰＵを介さないで電気的に接続しているプリント配線である。また、図面上では明示されていないが、確認信号用プリント配線１３２上には、確認信号出力ピン１２６から出力された確認信号を確認用出力端子１２８における所定のピンから外部に取り出せるようにするために、確認信号分岐手段が設けられている。この確認信号分岐手段は、例えば、複数の出力ポートを有していると共に、払出制御ＣＰＵ１２２から出力された確認信号を指定された出力ポートから出力する信号分岐装置等で有利に構成することが出来る。また、入力端子１２０ｂは、払出制御基板１１８上に形成された入力信号用プリント配線１３４（図６参照）によって、確認用出力端子１２８の入力側に電気的に接続されており、それによって、賞球スイッチ７２からの払出信号が確認用出力端子１２８から外部に取り出せるようになっている。
【００４０】
このような構造とされたパチンコ機１０の確認信号の出力に関する作動について、図６に基づいて、説明する。なお、試験を行うに際して、各基板８２，１０２，１１８の確認信号出力端子取付領域９４，１１４，１３０には、それぞれ、確認信号出力端子９２，１１２，１２８が取り付けられていると共に、各確認信号出力端子９２，１１２，１２８は、ハーネス等によって、図示しない試験装置に接続されている。
【００４１】
先ず、発射ハンドル２７の回動操作によって遊技盤１２の上部に案内された遊技球が特別図柄始動口１４に入賞すると、特別図柄始動センサ４０が遊技球の入賞を検知して特別図柄始動信号を出力する。この特別図柄始動信号は、入力信号用プリント配線９６を介して確認信号出力端子９２に接続された図示しない試験装置に入力されるようになっていると共に、主制御ＣＰＵ８６に入力されるようになっている。また、主制御ＣＰＵ８６は、特別図柄始動信号を検出すると、大当たり判定動作，図柄設定動作および変動パターン設定動作を行った後、特別図柄変動指令を図柄制御ＣＰＵ１０６に出力すると共に、所定個数の賞球の払出を行う払出制御指令を払出制御ＣＰＵ１２２に出力する。その後、主制御ＣＰＵ８６は、特別図柄表示装置１８における図柄変動を停止するための特別図柄変動停止指令を図柄制御ＣＰＵ１０６に出力する。
【００４２】
そこにおいて、大当たり判定動作に基づく判定結果が大当たりの場合には、特別図柄表示装置１８において大当たり図柄が遊技者に報知された後、主制御ＣＰＵ８６は、特別図柄が大当たりであることを知らせる特別図柄大当たり信号を確認信号出力ピン９０から確認信号用プリント配線９６を介して確認用出力端子９２に接続された試験装置に出力する。その後、主制御ＣＰＵ８６は、大入賞口５２を開放するためのソレノイド駆動信号を出力し、それによって、大入賞口ソレノイド５８が通電状態となり、大入賞口５２の入口が開放されることとなる。また、主制御ＣＰＵ８６は、大入賞口５２の入口を開放するためのソレノイド駆動信号を出力する際に、大入賞口５２の入口を開放することを知らせるために、大入賞口５２の入口を開放するためのソレノイド駆動信号を確認信号出力ピン９０から確認信号用プリント配線９６を介して試験用出力端子９２に接続された試験装置に出力するようになっていると共に、大入賞口５２の入口が開放されていることを知らせる大入賞口開放中信号を確認信号出力ピン９０から確認信号用プリント配線９６を介して確認用出力端子９２に接続された試験装置に出力するようになっている。
【００４３】
また、大入賞口５２の入口が開放されている状態下において、大入賞口５２内に設けられた大入賞口センサ５４が遊技球の入賞を検出すると、大入賞口入賞信号を出力するようになっている。この大入賞口入賞信号は、入力信号用プリント配線９８を介して確認用出力端子９２に接続された試験装置に入力されるようになっていると共に、主制御ＣＰＵ８６に入力されるようになっている。また、主制御ＣＰＵ８６は、大入賞口入賞信号を検出すると、所定個数の賞球の払出を行う払出制御指令を払出制御ＣＰＵ１２２に出力する。
【００４４】
一方、遊技球が始動ゲート４６を通過すると、通過スイッチ４８が遊技球の通過を検知して通過信号を出力する。この通過信号は、入力信号用プリント配線９８を介して確認信号出力端子９２に接続された試験装置に入力されるようになっていると共に、主制御ＣＰＵに入力されるようになっている。また、主制御ＣＰＵ８６は、通過信号を検出すると、当たり判定動作および図柄設定動作を行った後、普通図柄変動指令を図柄制御ＣＰＵ１０６に出力する。その後、主制御ＣＰＵ８６は、普通図柄表示装置３８における図柄変動を停止するための普通図柄変動停止指令を図柄制御ＣＰＵ１０６に出力する。
【００４５】
そこにおいて、当たり判定動作に基づく判定結果が当たりの場合には、普通図柄表示装置３８において当たり図柄が遊技者に報知された後、主制御ＣＰＵ８６は、普通図柄が当たりであることを知らせる普通図柄当たり信号を確認信号出力ピン９０から確認信号用プリント配線９６を介して確認信号出力端子９２に接続された試験装置に出力する。その後、主制御ＣＰＵ８６は、特別図柄始動口１４に設けられた一対の羽根４２，４２を開くためのソレノイド駆動信号を出力し、それによって、ソレノイドが通電状態となり、一対の羽根４２，４２が開くことで特別図柄始動口１４の入口が拡大されることとなる。また、主制御ＣＰＵ８６は、一対の羽根４２，４２を開くためのソレノイド駆動信号を出力する際に、特別図柄始動口１４の入口を拡大することを知らせるために、一対の羽根４２，４２を開くためのソレノイド駆動信号を確認信号出力ピン９０から確認信号用プリント配線９６を介して確認信号出力端子９２に接続された試験装置に出力するようになっていると共に、特別図柄始動口１４の入口が拡大されていることを知らせる始動口開放中信号を確認信号出力ピン９０から確認信号用プリント配線９６を介して確認信号出力端子９２に接続された試験装置に出力するようになっている。
【００４６】
また一方、遊技球が入賞口６０に入賞すると、入賞スイッチ６２が遊技球の入賞を検知して入賞信号を出力するようになっている。この入賞信号は、入力信号用プリント配線９８を介して確認信号出力端子９２に接続された試験装置に入力されるようになっていると共に、主制御ＣＰＵ８６に入力されるようになっている。また、主制御ＣＰＵ８６は、入賞信号を検出すると、所定数の遊技球の払出を行う払出制御信号を払出制御ＣＰＵ１２２に出力するようになっている。
【００４７】
また、図柄制御ＣＰＵ１０６は、主制御ＣＰＵ８６からの特別図柄変動指令を検出すると、特別図柄表示装置において、特別図柄の変動を開始するようになっている。そこにおいて、図柄制御ＣＰＵ１０６は、特別図柄の変動が開始される際に、特別図柄が変動中であることを知らせる特別図柄変動中信号を確認信号出力ピン１１０から確認信号用プリント配線１１６を介して確認信号出力端子１１２に接続された試験装置に出力するようになっている。更に、図柄制御ＣＰＵ１０６は、主制御ＣＰＵ８６からの特別図柄変動停止指令を検出すると、特別図柄判定動作に基づく図柄で特別図柄表示装置１８における特別図柄の変動を停止して、大当たり判定動作の判定結果を遊技者に報知するようになっている。そこにおいて、図柄制御ＣＰＵ１０６は、特別図柄の変動を停止する際に、特別図柄の変動が停止したことを知らせる特別図柄変動停止指令を確認信号出力ピン１１０から確認信号用プリント配線１１６を介して確認信号出力端子１１２に接続された試験装置に出力するようになっている。
【００４８】
また、図柄制御ＣＰＵ１０６は、主制御ＣＰＵ８６からの普通図柄変動指令を検出すると、普通図柄表示装置３８において、普通図柄の変動を開始するようになっている。そこにおいて、図柄制御ＣＰＵ１０６は、普通図柄の変動が開始される際に、普通図柄が変動中であることを知らせる普通図柄変動中信号を確認信号出力ピン１１０から確認信号用プリント配線１１６を介して確認信号出力端子１１２に接続された試験装置に出力するようになっている。更に、図柄制御ＣＰＵ１０６は、主制御ＣＰＵ８６からの普通図柄変動停止指令を検出すると、普通図柄判定動作に基づく図柄で普通図柄表示装置３８における普通図柄の変動を停止して、当たり判定動作の判定結果を遊技者に報知するようになっている。そこにおいて、図柄制御ＣＰＵ８６は、普通図柄の変動を停止する際に、普通図柄の変動が停止したことを知らせる普通図柄変動停止信号を確認信号出力ピン１１０から確認信号用プリント配線１１６を介して確認信号出力端子１１２に接続された試験装置に出力するようになっている。
【００４９】
更にまた、払出制御ＣＰＵ１２２は、主制御ＣＰＵ８６からの払出制御指令を検出すると、賞球払出装置６８に設けられた賞球モータ７０を駆動する。その際、払出制御ＣＰＵ１２２は、賞球モータ７０を駆動したことを知らせる賞球モータ駆動信号を出力する。そして、賞球モータ７０が駆動することによって遊技球が払い出されると、賞球スイッチ７２によって払い出された遊技球が検出されるようになっており、賞球スイッチ７２は遊技球を検出すると払出信号を出力するようになっている。この払出信号は、確認信号出力端子１２８に接続された試験装置に入力されるようになっていると共に、払出制御ＣＰＵ１２２に入力されるようになっている。また、払出制御ＣＰＵ１２２は、払出制御ＣＰＵ１２２に入力された払出信号を払出制御指令に基づいて払い出される賞球の数だけ検出すると、賞球モータ７０を停止するようになっている。その際、払出制御ＣＰＵ１２２は、賞球モータ７０を停止したことを知らせる賞球モータ停止信号を出力するようになっている。
【００５０】
このような本態様に従う構造とされたパチンコ機１０においては、主制御ＣＰＵ８６の確認信号出力ピン９０と確認用出力端子取付領域９４に取り付けられた確認用出力端子９２が確認信号用プリント配線９６によって他の制御ＣＰＵ１０６，１２２を介さないで直接に接続されていると共に、図柄制御ＣＰＵ１０６の確認信号出力ピン１１０と確認用出力端子取付領域１１４に取り付けられた確認用出力端子１１２が確認信号用プリント配線１１６によって他の制御ＣＰＵ８６，１２２を介さないで直接に接続されており、更に、払出制御ＣＰＵ１２２の確認信号出力ピン１２６と確認用出力端子取付領域１３０に取り付けられた確認用出力端子１２８が確認信号用プリント配線１３２によって他の制御ＣＰＵ８６，１０６を介さないで直接に接続されていることから、各制御ＣＰＵ８６，１０６，１２２は、各制御ＣＰＵに関する確認信号を外部に直接出力することが出来るのである。
【００５１】
従って、本実施形態のパチンコ機においては、主制御ＣＰＵ８６および図柄制御ＣＰＵ１０６，払出制御ＣＰＵ１２２の各制御ＣＰＵに対して各制御ＣＰＵが制御する制御内容についての確認信号以外の確認信号を出力させないようにすることが可能となり、それによって、各制御ＣＰＵに対して他の制御ＣＰＵから出力される確認信号の仲介等を行わないようにすることが可能となり、パチンコ機１０の動作確認試験の信頼性を確保することが出来るのである。
【００５２】
また、本実施形態においては、確認用出力端子９２，１１２，１２８は、各基板８２，１０２，１１８上に一つだけ取り付けるようになっていることから、各基板８２，１０２，１１８における出力端子取付領域の占有率を下げることが可能となり、それによって、各基板８２，１０２，１１８上に配置される各種の回路素子の配置に対する設計自由度が向上することとなり、各基板８２，１０２，１１８上に配置される各種の回路素子に対するノイズ対策を有利に行うことが出来るのである。従って、本実施形態におけるパチンコ機１０は、ホールでの利用に供されている際の遊技動作の安定化を図ることが出来るのである。
【００５３】
また、本実施形態においては、主制御ＣＰＵ８６に関する確認信号が主制御ＣＰＵ８６の確認信号出力ピン９０から出力されるようになっていると共に、図柄制御ＣＰＵ１０６に関する確認信号が図柄制御ＣＰＵ１０６の確認信号出力ピン１１０から出力されるようになっており、更に、払出制御ＣＰＵ１２２に関する確認信号が払出制御ＣＰＵ１２２の確認信号出力ピン１２６から出力されるようになっていることから、各制御ＣＰＵ８６，１０６，１２２から出力される確認信号と各制御ＣＰＵ８６，１０６，１２２による制御との関連性を高度に確保することが出来るのであり、それによって、各制御ＣＰＵ８６，１０６，１２２から出力される確認信号に対する信頼性を確保することが出来るのである。
【００５４】
さらに、本実施形態においては、主制御ＣＰＵ８６に関する確認信号が主制御ＣＰＵ８６の確認信号出力ピン９０と確認用出力端子９２とを他の制御ＣＰＵ１０６，１２２を介さないで直接に接続する確認用プリント配線９６を通じて取得されるようになっていると共に、図柄制御ＣＰＵ１０６に関する確認信号が図柄制御ＣＰＵ１０６の確認信号出力ピン１１０と確認用出力端子１１２とを他の制御ＣＰＵ８６，１２２を介さないで直接に接続する確認用プリント配線１１６を通じて取得されるようになっており、また、払出制御ＣＰＵ１２２に関する確認信号が払出制御ＣＰＵ１２２の確認信号出力ピン１２６と確認用出力端子１２８とを他の制御ＣＰＵ８６，１０６を介さないで直接に接続する確認用プリント配線１３２を通じて取得されるようになっていることから、各確認用出力端子９２，１１２，１２８から取得された信号が確認信号であるのか、それとも、他の制御信号であるのかの判断を不要とすることが可能となり、それによって、確認信号を受信する試験装置に対して予め確認信号と他の制御信号を区別させるための作業を不要とすることが可能となる。
【００５５】
以上、本発明の一実施形態について、詳述してきたが、これはあくまでも例示であって、本発明は、かかる実施形態における具体的な記載によって、何等、限定的に解釈されるものではない。
【００５６】
例えば、前記実施形態では、図柄制御基板に設けられた確認用出力端子取付領域および払出制御基板に設けられた確認用出力端子取付領域には、それぞれ、一つの確認用出力端子が取り付けられるようになっていたが、複数の確認用出力端子を取り付けることも可能である。
【００５７】
また、主制御ＣＰＵ，図柄制御ＣＰＵおよび払出制御ＣＰＵから出力される確認信号は、前記実施形態に限定されるものではない。
【００５８】
加えて、前記実施形態では、第一種パチンコ機に本発明を適用したものの位置具体例を示したが、本発明は、第２種パチンコ機や第３種パチンコ機等の他の遊技機に対して適用可能であることは、言うまでもない。
【００５９】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００６０】
【発明の効果】
上述の説明から明らかなように、本発明に従う構造とされた遊技機においては、主制御ＣＰＵの確認信号出力ピンと主制御用出力端子取付領域に取り付けることが出来る主制御用出力端子が主制御用プリント配線によって他の制御ＣＰＵを介さないで直接に接続されていると共に、サブ制御ＣＰＵの確認信号出力ピンとサブ制御用出力端子取付領域に取り付けることが出来るサブ制御用出力端子がサブ制御用プリント配線によって他の制御ＣＰＵを介さないで直接に接続されていることから、主制御ＣＰＵは、主制御ＣＰＵに関する確認信号を外部に直接出力することが出来るのであり、また、サブ制御ＣＰＵもサブ制御ＣＰＵに関する確認信号を外部に直接出力することが出来るのである。
【図面の簡単な説明】
【図１】本発明の一実施形態としてのパチンコ機を示す正面図である。
【図２】図１に示されたパチンコ機の裏側を示す図である。
【図３】図１に示されたパチンコ機に採用されている主基板の平面図である。
【図４】図１に示されたパチンコ機に採用されている図柄制御基板の平面図である。
【図５】図１に示されたパチンコ機に採用されている払出制御基板の平面図である。
【図６】図１に示されたパチンコ機の確認信号の出力に関するブロック図である。
【符号の説明】
１０　パチンコ機
１２　遊技盤
１８　特別図柄表示装置
３８　普通図柄表示装置
４０　特別図柄始動センサ
４８　通過スイッチ
５４　大入賞口センサ
６２　入賞スイッチ
６８　賞球払出装置
７０　賞球モータ
８６　主制御ＣＰＵ
９０　確認信号出力ピン
９２　確認信号出力端子
９４　確認信号出力端子取付領域
９６　確認信号用プリント配線
１０６　図柄制御ＣＰＵ
１１０　確認信号出力ピン
１１２　確認用出力端子
１１４　確認用出力端子取付領域
１１６　確認信号用プリント配線
１２２　払出制御ＣＰＵ
１２６　確認信号出力ピン
１２８　確認用出力端子
１３０　確認用出力端子取付領域
１３２　確認信号用プリント配線
【図１】
2004105465.tif 000003
【図２】
2004105465.tif 000004
【図３】
2004105465.tif 000005
【図４】
2004105465.tif 000006
【図５】
2004105465.tif 000007
【図６】
2004105465.tif 000008